(57)【要約】      （修正有）【課題】天井付近の隠蔽されない空間を小さくできるとともに祭壇等の背景装飾としても用いることができ、且つ軽量で取扱いしやすい衝立を提供する。【解決手段】脚体２１と、該脚体２１から起立したアルミニウム材よりなる下側枠体２８と、該下側枠体２８の上端部に、該上端部の上方へ起立した状態と該上端部の下方へ折り畳んだ状態との間で回動可能に取り付けられたアルミニウム材よりなる上側枠体２９と、該上側枠体２９を起立した状態で固定する固定部材と、起立した状態の上側枠体２９の上端部に着脱可能に吊り付けられて上側枠体２９及び下側枠体２８の枠内空間を覆うように垂下する幕布１５とからなる衝立。【選択図】図１
0003161092.tif 000002
【実用新案登録請求の範囲】
【請求項１】
脚体と、脚体から起立したアルミニウム材よりなる枠体と、枠体の上端部に着脱可能に吊り付けられて枠体の枠内空間を覆うように垂下する幕布とからなる衝立。
【請求項２】
脚体と、脚体から起立したアルミニウム材よりなる下側枠体と、下側枠体の上端部に、該上端部の上方へ起立した状態と該上端部の下方へ折り畳んだ状態との間で回動可能に取り付けられたアルミニウム材よりなる上側枠体と、上側枠体を起立した状態で固定する固定部材と、起立した状態の上側枠体の上端部に着脱可能に吊り付けられて上側枠体及び下側枠体の枠内空間を覆うように垂下する幕布とからなる衝立。
【請求項３】
脚体と、脚体から起立したアルミニウム材よりなる下側枠体と、下側枠体に対し一部どうしが上下摺動可能に相対的に挿入する関係にあり、この上下摺動により上方へ繰り出した状態と下方へ退入した状態とにできるアルミニウム材よりなる上側枠体と、上側枠体を上方へ繰り出した状態で固定する固定部材と、上側枠体の上端部に着脱可能に吊り付けられて上側枠体及び下側枠体の枠内空間を覆うように垂下する幕布とからなる衝立。
【請求項４】
枠体の上端部の表裏両側に幕布を着脱可能に取り付けられるようにした請求項１〜３のいずかか一項に記載の衝立。
【請求項５】
枠体の上端部に幕布を着脱可能に取り付ける手段が、面ファスナーである請求項１〜４のいずかか一項に記載の衝立。
【請求項６】
横に並べた複数の衝立を互いに連結する連結部材を備えた請求項１〜５のいずかか一項に記載の衝立。
【考案の詳細な説明】
【技術分野】
【０００１】
本考案は、広間の間仕切、祭壇や演壇の背景装飾等として用いられる衝立に関するものである。
【背景技術】
【０００２】
斎場等において葬儀等を行う広間は、参列者の人数等を考慮し、祭壇等を含め会場の設営が行われている。そのため、葬儀毎に間仕切等で広間を仕切りその大きさを調節するとともに、幕布等を用いて会場の装飾等も行われている。そして、広間を仕切る間仕切には、広間に備え付けの移動間仕切が用いられている。しかし、この移動間仕切は、天井から懸垂された状態で移動できるようにするため、予め広間の天井にガイドを設けておかなくてはならなかった。その上、ガイドに沿ってしか移動できないことから、広間のレイアウトに制約をきたしていた。
【０００３】
ところで、家庭や事務所等において、簡易的に部屋を仕切るものとして衝立（パーテーション）が用いられている。そして、衝立としては、例えば、特許文献１、２に記載のように、金属製のフレームとフレームに張設された布製の壁体（スクリーン）とからなるものや、特許文献３に記載のように、フレームとフレームに嵌装された樹脂含浸紙の壁体とからなるもの等がある。しかし、これらの衝立は、視線を遮断できればよいことからそれほどの高さが必要とされず、取扱の利便性を考慮して、概ね２００ｃｍ以下の高さとなっていた。また、これらの衝立は、壁面のデザインも乏しいものであった。そのため、斎場等の広間のように天井が高い（床からの高さが約３００ｃｍある）ところの間仕切として用いようとすると、天井との間が開き過ぎてしまう上、デザイン性が低いことから、見栄えが悪くなっていた。
【先行技術文献】
【特許文献】
【０００４】
【特許文献１】特開２００３−２５０６７６号公報
【特許文献２】特開２００７−１２６８７３号公報
【特許文献３】特開２００２−８８９５３号公報
【考案の概要】
【考案が解決しようとする課題】
【０００５】
そこで、本考案は、天井付近の隠蔽されない空間を小さくできるとともに祭壇等の背景装飾としても用いることができ、且つ軽量で取扱いしやすい衝立を提供することを目的とする。
【課題を解決するための手段】
【０００６】
上記課題を解決するため、本考案の衝立は、脚体と、脚体から起立したアルミニウム材よりなる枠体と、枠体の上端部に着脱可能に吊り付けられて枠体の枠内空間を覆うように垂下する幕布とからなる。
【０００７】
上記課題を解決するため、本考案の別の衝立は、脚体と、脚体から起立したアルミニウム材よりなる下側枠体と、下側枠体の上端部に、該上端部の上方へ起立した状態と該上端部の下方へ折り畳んだ状態との間で回動可能に取り付けられたアルミニウム材よりなる上側枠体と、上側枠体を起立した状態で固定する固定部材と、起立した状態の上側枠体の上端部に着脱可能に吊り付けられて上側枠体及び下側枠体の枠内空間を覆うように垂下する幕布とからなる。上側枠体が下側枠体の上端部の下方へ折り畳んだ状態にできることから、枠体全体が小さくなり、保管及び設置時の移動等が容易になる。
【０００８】
上記課題を解決するため、本考案のまた別の衝立は、脚体と、脚体から起立したアルミニウム材よりなる下側枠体と、下側枠体に対し一部どうしが上下摺動可能に相対的に挿入する関係にあり、この上下摺動により上方へ繰り出した状態と下方へ退入した状態とにできるアルミニウム材よりなる上側枠体と、上側枠体を上方へ繰り出した状態で固定する固定部材と、上側枠体の上端部に着脱可能に吊り付けられて上側枠体及び下側枠体の枠内空間を覆うように垂下する幕布とからなる。上側枠体が下方へ退入した状態にできることから、枠体全体が小さくなり、保管及び設置時の移動等が容易になる。
【０００９】
本考案の衝立に用いられるアルミニウム材としては、特に限定はされないが、アルミニウム管、アルミニウム棒、アルミニウムチャンネル等が例示でき、より軽量にできることから、アルミニウム管であることが好ましい。
【００１０】
本考案の衝立は、幕布が枠体の上端部に着脱可能であることから、容易に幕布を取り替えることができ、使われる広間等に合わせた装飾性に優れた幕布を選択して垂下することで、祭壇等の背景装飾に用いることができる。また、幕布は、衝立の正面（片面）だけに垂下してもよいが、衝立の正面及び背面に幕布を垂下することで、衝立によって仕切られたそれぞれの空間の見栄えがよくなることから、枠体の上端部の表裏両側に幕布を着脱可能に取り付けられるようにしていることが好ましい。また、それぞれの空間毎の趣が変わることから、衝立の正面及び背面の幕布は互いに模様や色彩等のデザインが異なるものであることがより好ましい。
【００１１】
本考案に用いられる脚体としては、特に限定はされないが、アルミニウム材であることが、枠体と同じ部材を用いることになり好ましい。その場合、脚体のアルミニウム材は、平面視において枠体と直交する複数のものであることが好ましい。また、脚体のアルミニウム材の本数としては、特に限定はされないが、数が少ないほど軽量になることから、二本であることが好ましい。また、脚体のアルミニウム材の長さとしては、特に限定はされないが、衝立の安定性と軽量化のバランスが図れることから、衝立の高さに対す比が０．１〜０．３であることが好ましく、０．１５〜０．２５であることがより好ましい。
【００１２】
また、枠体の上端部に幕布を着脱可能に取り付ける手段としては、特に限定はされないが、幕布へ縫着できることから面ファスナーであることが好ましい。
【００１３】
複数の衝立を横方向に並べて広間等を仕切るときに、横方向に隣接する衝立どうしを連結できることから、横に並べた複数の衝立を互いに連結する連結部材を備えていることが好ましい。
【考案の効果】
【００１４】
本考案によれば、枠体の上端部に吊り付けられた幕布が枠内空間を覆うように垂下していることから、枠体の上端まで視線を遮断することができ、天井付近の隠蔽されない空間を小さくできる。また、広間等にあわせた装飾性が高い幕布に替えることができ、祭壇等の背景装飾としも用いることができる。さらに、枠体がアルミニウム材よりなることから、軽量で取扱いしやすい衝立を提供することができる。
【図面の簡単な説明】
【００１５】
【図１】実施例１の衝立の正面から見た斜視図である。
【図２】幕布の一部を破断させた同衝立の背面から見た斜視図である。
【図３】同衝立の枠体の背面から見た斜視図である。
【図４】同衝立の係止片付近の斜視図である。
【図５】同衝立の横棹付近の斜視図である。
【図６】同衝立の係合片付近の斜視図である。
【図７】実施例２の衝立の正面から見た斜視図である。
【図８】実施例３の衝立の正面から見た斜視図である。
【図９】同衝立の枠体の正面から見た斜視図である。
【考案を実施するための形態】
【実施例１】
【００１６】
本考案の実施例である衝立１０について図１〜６を用いて説明する。
【００１７】
衝立１０は、床面上に互いに離間して並ぶ二本の脚体２１と、正面視が略矩形状の枠体２０と、それぞれ模様が異なる二枚の幕布１５とからなる。
【００１８】
脚体２１は、長さが４８０ｍｍのアルミニウムの角管であり、平面視において、枠体２０と略直交している。また、両端には樹脂製のキャップ３０が嵌着して、脚体２１の両端の開口を封止している。
【００１９】
枠体２０は、それぞれ四本のアルミニウムの角管を矩形状に接合した下側枠体２８と上側枠体２９とからなる。脚体２１及び枠体２０に用いたアルミニウムの角管は、一辺が２２ｍｍと２０ｍｍとであり、厚さが１ｍｍのものであった。また、枠体２０は、床面から下側枠体２８の上端までの高さが１８００ｍｍであり、床面から上側枠体２９の上端までの高さが２７００ｍｍであり、幅が９００ｍｍであった。なお、枠体の高さや幅は、特に限定はされないが、広間等の間仕切として用いる場合には、高さは２０００〜３５００ｍｍであることが好ましく、より好ましくは２５００〜３０００ｍｍである。また、幅は、５００〜２０００ｍｍであることが好ましく、より好ましくは７００〜１２００ｍｍである。
【００２０】
下側枠体２８は、二本の脚体２１の長さ方向の略中央から上方へとそれぞれ略垂直に延びるアルミニウムの角管の二本の下縦棹２２と、二本の下縦棹２２の下端を連結するアルミニウムの角管の第一連結棹２５と、二本の下縦棹２２の上端を連結するアルミニウムの角管の第二連結棹２６とからなっている。それぞれの下縦棹２２と第一及び第二連結棹２５、２６とは、リベットにより鋲着されている。また、それぞれの下縦棹２２と脚体２１とは、Ｔ字状の連結金物３１を介し、ビスとナットとにより接合されている。
また、一方の下縦棹２２には、背面側の中間部に、ピン状の二本の係合突起３３が上下に間隔をあけて突設されている。他方の下縦棹２２には、それぞれ係合突起３３に対応する背面側の位置に、板状の二枚の係合片３２がビスとナットとにより回転可能に軸着されている。係合片３２には、係合突起３３と係合するための係合溝３２ａが切られている。この係合突起３３と係合片３２とが、横に並べた複数の衝立１０を互いに連結する連結部材となっている。
【００２１】
上側枠体２９は、下縦棹２２の上端から上方へとそれぞれ略垂直に延びるアルミニウムの角管の二本の上縦棹２３と、二本の上縦棹２３の下端を連結するアルミニウムの角管の第三連結棹２７と、二本の上縦棹２３の上端を連結し、床面と略平行なアルミニウムの角管の横棹２４とからなっている。それぞれの上縦棹２３と第三連結棹２７及び横棹２４とは、リベットにより鋲着されている。また、第二連結棹２６と第三連結棹２７とは、それぞれ背面側の両端部にリベットにより鋲着された蝶番３５によって連結されている。そのため、上側枠体２９は背面側に傾倒することができることから、上側枠体２９は下側枠体２８の上端部より上方へ起立した状態と該上端部の下方へ折り畳んだ状態との間で回動可能となるよう、下側枠体２８に取り付けられている。
また、第三連結棹２７の背面側の中間部には、上側枠体２９を起立した状態で固定する固定手段である３枚の係止片３６が略等間隔にビスとナットとにより回転可能に軸着されている。
【００２２】
横棹２４の正面及び背面のそれぞれの面には、面ファスナー３８が取着されている。
【００２３】
幕布１５は、幅が約９００ｍｍ、長さが約２６６０ｍｍの矩形状をしており、上端には、面ファスナー１６が縫着されている。そして、横棹２４の面ファスナー３８に面ファスナー１６が接着することで、幕布１５は、横棹２４に吊り付けられた状態で枠体２０の枠内空間及び枠体２０を略覆うように垂下している。
【００２４】
次に、衝立１０の使い方について説明する。
先ず、保管されていた衝立１０を用いて広間の仕切りをする場合について説明する。
保管時の衝立１０は、通常、幕布１５と枠体２０とが、別々になっている。また、図３のａに示すように、枠体２０は、傾倒させることで上側枠体２９を下方へ折り畳み、全高を低くした保管状態となっている。
そして、枠体２０は、この保管状態から、図３のｂに示すように、上側枠体２９を起立させて、使用状態になる。また、この使用状態を維持する、すなわち、上側枠体２９の意図しない傾倒を防止するため、図４に示すように、先端が下方を向くように３枚の係止片３６をそれぞれ回動させる。係止片３６の先端が下方を向くことにより、係止片３６の先端部３６ｂが第二連結棹２６に係合して、上側枠体２９の傾倒が規制される。
そして、図５に示すように、枠体２０の横棹２４の正面側及び背面側のそれぞれに、横棹２４の面ファスナー３８と幕布１５の面ファスナー１６とを接着させて、二枚の幕布１５を横棹２４に吊り付けて垂下させる。横棹２４から二枚の幕布１５が垂下することで、衝立１０の正面側及び背面側の両面とも、幕布１５により枠内空間及び枠体２０が略覆わた衝立となる。
【００２５】
また、複数の衝立１０を幅方向に並べて使用する場合には、図６に示すように、互いに隣接する衝立１０の一方の衝立１０の係合片３２を回動させて、他方の衝立１０の係合突起３３に係合させて、隣接する衝立１０どうしを互いに連結する。
【００２６】
次に、使用された衝立１０を撤去・保管する場合について説明する。
この場合は、上記の場合と逆に、枠体２０から幕布１５を外すとともに、先端がそれぞれ水平方向を向くように３枚の係止片３６をそれぞれ回動させ、係止片３６と第二連結棹２６との係合を外して、上側枠体２９を傾倒させ、枠体２０を使用状態から上側枠体２９が折り畳まれた保管状態にする。そして、枠体２０を保管場所に移動して保管する。
【００２７】
また、隣接する複数の衝立１０を連結して使用した場合には、係合片３２をそれぞれ回動させて隣接する衝立１０どうしの連結を外す。
【００２８】
本実施例の衝立１０によれば、次の（ａ）〜（ｉ）の効果が得られた。
（ａ）幕布１５が横棹２４から垂下していることから、幕布１５と横棹２４との間に隙間がなく、枠体２０の上端までが幕布１５によって覆われた。
（ｂ）枠体２０の上端までが幕布１５により覆われることから、枠体２０の上端まで視線を遮断でき、天井付近の隠蔽されない空間を小さくすることができた。
（ｃ）枠体２０の高さを２７００ｍｍにしたことで、斎場等の広間の間仕切として用いるときでも天井との間が小さくなり、見栄え良く広間を仕切ることができた。
（ｄ）枠体２０及び脚体２１をアルミニウムの角管で形成し、壁面を幕布１５で形成していることから、軽量となり取扱が容易であった。
（ｅ）上側枠体２９を傾倒して折り畳めることから、不使用時等に天井が低い場所でも枠体２０を起立した状態で保管することができ、保管による枠体２０の変形が起きにくくなった。
（ｆ）上側枠体２９が傾倒できることから、運搬等が容易であった。
（ｇ）幕布１５が着脱可能であることから、広間に合わせた装飾性の高い幕布１５を選択して垂下させることで祭壇の背景装飾として用いることができた。
（ｈ）正面及び背面に模様が異なる幕布１５が垂下されていることから、衝立１０によって仕切られたそれぞれの空間の趣を変えることができた。
（ｉ）枠体２０及び脚体２１が一種類のアルミニウムの角管を切断して作製した棹等により構成されていることから、製造するための材料の種類を少なくすることができた。
【実施例２】
【００２９】
本考案の別の実施例である衝立５０について図７を用いて説明する。
この衝立５０は、枠体５１の二本の縦棹５２が、それぞれ上縦棹と下縦棹との二部材からではなく、一本のアルミニウムの角管からなっている点と、第二及び第三連結棹がない点とが、実施例１の衝立１０と異なり、その他の点については衝立１０と同じである。なお、図７において、衝立１０と同じ部材には、同じ符号を付している。
【００３０】
本実施例の衝立５０によれば、上記（ａ）〜（ｄ）、（ｇ）〜（ｉ）の効果に加え、次の（ｊ）の効果が得られた。
（ｊ）連結棹が一本しかないことから、衝立１０よりも軽量化が図れた。
【実施例３】
【００３１】
本考案のまた別の実施例である衝立６０について図８、９を用いて説明する。
この衝立６０は、枠体６１の上側枠体６９の上縦棹６３に、一辺がそれぞれ２０ｍｍと１８ｍｍとであり、厚さが１ｍｍであるアルミニウムの角管を用いた点と、この上縦棹６３が下側枠体６８の下縦棹６２に上下摺動可能に相対的に挿入されていることで、上側枠体６９が上縦棹６３の上下摺動により上方へ繰り出した状態と下方へ退入した状態とにできる点と、上方へ繰り出した状態で上側枠体６９を固定する固定部材として上縦棹６３に穿設されたピン穴６６に軸部が挿通し、頭部が拡径した固定ピン６５を有する点と、第二及び第三連結棹がない点とが、実施例１の衝立１０と異なり、その他の点については衝立１０と同じである。なお、図８、９において、衝立１０と同じ部材には、同じ符号を付している。
【００３２】
本実施例の衝立６０によれば、上記（ａ）〜（ｄ）、（ｇ）〜（ｈ）、（ｊ）の効果に加え、次の（ｋ）〜（ｍ）の効果が得られた。
（ｋ）図９に示すように、複数のピン穴６６が間隔をあけて上縦棹６３に穿設されていることから、上側枠体６９の上方への繰り出しを段階的に変えられ、衝立６０を所望の高さにすることができ、天井が低い広間等の間仕切としても用いることができた。
（ｌ）また、不使用時等に天井が低い場所でも枠体６１を起立した状態で保管することができ、保管による枠体６１の変形が起きにくくなった。
（ｍ）枠体６１の高さを変えられることから、取扱が容易であった。
【００３３】
なお、本考案は前記実施例に限定されるものではなく、考案の趣旨から逸脱しない範囲で適宜変更して具体化することもできる。
【符号の説明】
【００３４】
１０    衝立
１５    幕布
１６    面ファスナー
２０    枠体
２１    脚体
２８    下側枠体
２９    上側枠体
３２    係合片
３３    係合突起
３６    係止片
３８    面ファスナー
５０    衝立
５１    枠体
６０    衝立
６１    枠体
６５    固定ピン
６８    下側枠体
６９    上側枠体
【図１】
0003161092.tif 000003
【図２】
0003161092.tif 000004
【図３】
0003161092.tif 000005
【図４】
0003161092.tif 000006
【図５】
0003161092.tif 000007
【図６】
0003161092.tif 000008
【図７】
0003161092.tif 000009
【図８】
0003161092.tif 000010
【図９】
0003161092.tif 000011
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
脚体と、脚体から起立したアルミニウム材よりなる枠体と、枠体の上端部に着脱可能に吊り付けられて枠体の枠内空間を覆うように垂下する幕布とからなる衝立。
【請求項２】
脚体と、脚体から起立したアルミニウム材よりなる下側枠体と、下側枠体の上端部に、該上端部の上方へ起立した状態と該上端部の下方へ折り畳んだ状態との間で回動可能に取り付けられたアルミニウム材よりなる上側枠体と、上側枠体を起立した状態で固定する固定部材と、起立した状態の上側枠体の上端部に着脱可能に吊り付けられて上側枠体及び下側枠体の枠内空間を覆うように垂下する幕布とからなる衝立。
【請求項３】
脚体と、脚体から起立したアルミニウム材よりなる下側枠体と、下側枠体に対し一部どうしが上下摺動可能に相対的に挿入する関係にあり、この上下摺動により上方へ繰り出した状態と下方へ退入した状態とにできるアルミニウム材よりなる上側枠体と、上側枠体を上方へ繰り出した状態で固定する固定部材と、上側枠体の上端部に着脱可能に吊り付けられて上側枠体及び下側枠体の枠内空間を覆うように垂下する幕布とからなる衝立。
【請求項４】
枠体の上端部の表裏両側に幕布を着脱可能に取り付けられるようにした請求項１〜３のいずれか一項に記載の衝立。
【請求項５】
枠体の上端部に幕布を着脱可能に取り付ける手段が、面ファスナーである請求項１〜４のいずれか一項に記載の衝立。
【請求項６】
横に並べた複数の衝立を互いに連結する連結部材を備えた請求項１〜５のいずれか一項に記載の衝立。